(57)【要約】【課題】電界伝達媒体を介して情報の送受信を行う電界通信を用いて、誤認識を防止するとともに、より容易に、またより利便性の高い照合システムを実現することができる。【解決手段】第１の物体に取り付けられた第１の送受信機１は、第１の物体に関する情報を記憶する第１の記憶手段と、電界伝達媒体であるユーザが第１の物体および第２の物体に同時に接触することにより、前記ユーザを介して第１の記憶手段に記憶された情報を第２の送受信機４に送信する送信手段とを有する。第２の物体に取り付けられた第２の送受信機４は、第２の物体および第１の物体に関する情報を記憶する第２の記憶手段と、第１の送受信機から受信した情報と第２の記憶手段に記憶された情報とを照合する照合手段と、照合に成功した場合に所定の制御を行う制御手段とを有する。【選択図】図１
2009224891.tif 000002
【特許請求の範囲】
【請求項１】
電界伝達媒体を介して通信する電界通信を用いた照合システムであって、
第１の物体に取り付けられた第１の送受信機と、第２の物体に取り付けられた第２の送受信機とを有し、
前記第１の送受信機は、
前記第１の物体に関する情報を記憶する第１の記憶手段と、
電界伝達媒体であるユーザが前記第１の物体および前記第２の物体に同時に接触することにより、前記ユーザを介して、前記第１の記憶手段に記憶された情報の少なくとも１つを前記第２の送受信機に送信する送信手段と、を有し、
前記第２の送受信機は、
前記第２の物体および前記第１の物体に関する情報を記憶する第２の記憶手段と、
前記第１の送受信機から受信した情報と、前記第２の記憶手段に記憶された情報とを照合する照合手段と、
照合に成功した場合、所定の制御を行う制御手段と、を有すること
を特徴とする照合システム。
【請求項２】
請求項１記載の照合システムであって、
前記第２の送受信機は、
前記ユーザが前記第１の物体および前記第２の物体に同時に接触することにより、前記ユーザを介して、前記第２の記憶手段に記憶された情報の少なくとも１つを前記第１の送受信機に送信する送信手段を、さらに有し、
前記第１の送受信機は、
前記第２の送受信機から受信した情報と、前記第１の記憶手段に記憶された情報とを照合し、照合結果を前記第２の送受信機に送信する照合手段を、さらに有すること
を特徴とする照合システム。
【請求項３】
電界伝達媒体を介して通信する電界通信を用いた投薬照合システムであって、
患者が携帯する携帯端末と、医療機器に取り付けられた制御装置とを有し、
前記携帯端末は、
前記患者に関する情報を記憶する第１の記憶手段と、
医療従事者が前記患者および前記制御装置に同時に接触することにより、前記医療従事者を介して、前記第１の記憶手段に記憶された患者ＩＤを前記制御装置に送信する送信手段と、を有し、
前記制御装置は、
前記患者に関する情報および前記医療機器に設定された薬品に関する情報を記憶する第２の記憶手段と、
前記携帯端末から受信した患者ＩＤと、前記第２の記憶手段に記憶された患者ＩＤとを照合する照合手段と、
照合に成功した場合、前記薬品の投与を開始する制御手段と、を有すること
を特徴とする投薬照合システム。
【請求項４】
請求項３記載の投薬照合システムであって、
前記制御装置は、
前記医療従事者が前記患者および前記制御装置に同時に接触することにより、前記医療従事者を介して、前記第２の記憶手段に記憶された薬品に関する情報を前記携帯端末に送信する送信手段を、さらに有し、
前記携帯端末は、
前記制御装置から受信した情報と、前記第１の記憶手段に記憶された薬品情報とを照合し、照合結果を前記制御装置に送信する照合手段を、さらに有すること
を特徴とする投薬照合システム。
【請求項５】
電界伝達媒体を介して通信する電界通信を用いた投薬照合システムであって、
患者が携帯する携帯端末と、医療機器に取り付けられた制御装置と、前記携帯端末および前記制御装置と電界伝達媒体を介して電界通信を行う管理装置とを有し、
前記携帯端末は、
前記患者の患者ＩＤを記憶する第１の記憶手段と、
医療従事者が前記患者および前記管理装置に同時に接触することにより、前記医療従事者を介して、前記第１の記憶手段に記憶された患者ＩＤを前記管理装置に送信する送信手段と、を有し、
前記制御装置は、
前記医療機器に設定された薬品に関する情報を記憶する第２の記憶手段と、
前記医療従事者が前記制御装置および前記管理装置に同時に接触することにより、前記医療従事者を介して、前記第２の記憶手段に記憶された薬品に関する情報を前記管理装置に送信する送信手段と、
前記管理装置からの指示に応じて前記薬品の投与を開始する制御手段と、を有し、
前記管理装置は、
患者ＩＤと薬品に関する情報とを対応付けて記憶する第３の記憶手段と、
前記携帯端末から受信した患者ＩＤおよび前記制御装置から受信した薬品に関する情報と、前記第３の記憶手段に記憶された患者ＩＤおよび薬品に関する情報とを照合し、照合に成功した場合に投薬の開始指示を前記制御装置に送信する照合手段と、を有すること
を特徴とする投薬照合システム。
【請求項６】
電界伝達媒体を介して通信する電界通信を用いた患者確認システムであって、
患者が携帯する携帯端末と、電子カルテ表示装置に取り付けられた制御装置とを有し、
前記携帯端末は、
前記患者ＩＤおよびカルテ番号を記憶する第１の記憶手段と、
医療従事者が前記患者および前記制御装置に同時に接触することにより、前記医療従事者を介して、前記第１の記憶手段に記憶された患者ＩＤを前記制御装置に送信する送信手段と、を有し、
前記制御装置は、
前記電子カルテ表示装置から通知された電子カルテ番号および患者ＩＤを記憶する第２の記憶手段と、
前記携帯端末から受信した患者ＩＤと、前記第２の記憶手段に記憶された患者ＩＤとを照合する照合手段と、
照合結果を前記電子カルテ表示装置に送信する制御手段と、を有すること
を特徴とする患者確認システム。
【請求項７】
請求項６記載の患者確認システムであって、
前記制御装置は、
前記医療従事者が前記患者および前記制御装置に同時に接触することにより、前記医療従事者を介して、前記第２の記憶手段に記憶されたカルテ番号を前記携帯端末に送信する送信手段を、さらに有し、
前記携帯端末は、
前記制御装置から受信したカルテ番号と、前記第１の記憶手段に記憶されたカルテ番号とを照合し、照合結果を前記制御装置に送信する照合手段を、さらに有すること
を特徴とする患者確認システム。
【発明の詳細な説明】
【技術分野】
【０００１】
本発明は、送信すべき情報に基づく電界を電界伝達媒体に誘起させるとともにこの誘起した電界を検出して情報の送受信を行う電界通信を用いた照合技術に関する。
【背景技術】
【０００２】
携帯端末の小型化および高性能化によりウェアラブルコンピュータが注目されているが、図１０はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とパソコン８間とのデータ通信に使用されるトランシーバ９は、電界信号検出技術を利用していて、送信すべき情報に基づく電界を電界伝達媒体である生体に誘起させ、この誘起した電界を用いて情報の送受信を行うものである。なお、トランシーバ９については、特許文献１および特許文献２に記載されている。
【特許文献１】特開２００１−３５２２９８号公報
【特許文献２】特開２００６−０８１１１１号公報
【発明の開示】
【発明が解決しようとする課題】
【０００４】
さて、人や物を照合する方法として、バーコードやＲＦＩＤ（Radio Frequency Identification）が用いられている。しかしながら、バーコードやＲＦＩＤの場合、リーダを用いてバーコードやＩＣタグに記憶された情報を読み取る必要があり操作に時間と手間がかかる。また、ＲＦＩＤの場合、意図しない物体のＩＣタグが応答してしまう可能性がある。
【０００５】
本発明は、上記課題を解決するためになされたものであり、電界伝達媒体を介して情報の送受信を行う電界通信を用いて、誤認識を防止するとともに、より容易に、またより利便性の高い照合システムを実現することを目的とする。
【課題を解決するための手段】
【０００６】
上記目的を達成するため、本発明は、電界伝達媒体を介して通信する電界通信を用いた照合システムであって、第１の物体に取り付けられた第１の送受信機と、第２の物体に取り付けられた第２の送受信機とを有し、前記第１の送受信機は、前記第１の物体に関する情報を記憶する第１の記憶手段と、電界伝達媒体であるユーザが前記第１の物体および前記第２の物体に同時に接触することにより、前記ユーザを介して、前記第１の記憶手段に記憶された情報の少なくとも１つを前記第２の送受信機に送信する送信手段と、を有し、前記第２の送受信機は、前記第２の物体および前記第１の物体に関する情報を記憶する第２の記憶手段と、前記第１の送受信機から受信した情報と、前記第２の記憶手段に記憶された情報とを照合する照合手段と、照合に成功した場合、所定の制御を行う制御手段と、を有する。
【０００７】
また、本発明は、電界伝達媒体を介して通信する電界通信を用いた投薬照合システムであって、患者が携帯する携帯端末と、医療機器に取り付けられた制御装置とを有し、前記携帯端末は、前記患者に関する情報を記憶する第１の記憶手段と、医療従事者が前記患者および前記制御装置に同時に接触することにより、前記医療従事者を介して、前記第１の記憶手段に記憶された患者ＩＤを前記制御装置に送信する送信手段と、を有し、前記制御装置は、前記患者に関する情報および前記医療機器に設定された薬品に関する情報を記憶する第２の記憶手段と、前記携帯端末から受信した患者ＩＤと、前記第２の記憶手段に記憶された患者ＩＤとを照合する照合手段と、照合に成功した場合、前記薬品の投与を開始する制御手段と、を有する。
【０００８】
また、本発明は、電界伝達媒体を介して通信する電界通信を用いた投薬照合システムであって、患者が携帯する携帯端末と、医療機器に取り付けられた制御装置と、前記携帯端末および前記制御装置と電界伝達媒体を介して電界通信を行う管理装置とを有し、前記携帯端末は、前記患者の患者ＩＤを記憶する第１の記憶手段と、医療従事者が前記患者および前記管理装置に同時に接触することにより、前記医療従事者を介して、前記第１の記憶手段に記憶された患者ＩＤを前記管理装置に送信する送信手段と、を有し、前記制御装置は、前記医療機器に設定された薬品に関する情報を記憶する第２の記憶手段と、前記医療従事者が前記制御装置および前記管理装置に同時に接触することにより、前記医療従事者を介して、前記第２の記憶手段に記憶された薬品に関する情報を前記管理装置に送信する送信手段と、前記管理装置からの指示に応じて前記薬品の投与を開始する制御手段と、を有し、前記管理装置は、患者ＩＤと薬品に関する情報とを対応付けて記憶する第３の記憶手段と、前記携帯端末から受信した患者ＩＤおよび前記制御装置から受信した薬品に関する情報と、前記第３の記憶手段に記憶された患者ＩＤおよび薬品に関する情報とを照合し、照合に成功した場合に投薬の開始指示を前記制御装置に送信する照合手段と、を有する。
【０００９】
また、本発明は、電界伝達媒体を介して通信する電界通信を用いた患者確認システムであって、患者が携帯する携帯端末と、電子カルテ表示装置に取り付けられた制御装置とを有し、前記携帯端末は、前記患者ＩＤおよびカルテ番号を記憶する第１の記憶手段と、医療従事者が前記患者および前記制御装置に同時に接触することにより、前記医療従事者を介して、前記第１の記憶手段に記憶された患者ＩＤを前記制御装置に送信する送信手段と、を有し、前記制御装置は、前記電子カルテ表示装置から通知された電子カルテ番号および患者ＩＤを記憶する第２の記憶手段と、前記携帯端末から受信した患者ＩＤと、前記第２の記憶手段に記憶された患者ＩＤとを照合する照合手段と、照合結果を前記電子カルテ表示装置に送信する制御手段と、を有する。
【発明の効果】
【００１０】
本発明によれば、電界伝達媒体を介して情報の送受信を行う電界通信を用いて、誤認証を防止し、より容易に、またより利便性の高い照合システムを実現することができる。
【発明を実施するための最良の形態】
【００１１】
＜第１の実施形態＞
以下、本発明の第１の実施形態を、図面を用いて説明する。
【００１２】
図１は、本発明の第１の実施形態である投薬照合システムを説明するための説明図である。本実施形態の投薬照合システムは、患者に間違った薬を投与してしまう誤投薬を防止するためのものである。
【００１３】
本実施形態では、患者（第１の物体）に携帯端末１（第１の送受信機）を携帯させ、点滴薬の流量計などの医療機器１０（第２の物体）に制御装置４（第２の送受信機）を取り付ける。そして、看護士（医療従事者）が、患者を介して携帯端末１と制御装置４とを同時に接触することにより、電界伝達媒体である看護士の人体を介して、携帯端末１と制御装置４との間の通信路が確立される。
【００１４】
この通信路が確立されると、制御装置４は、患者に投与する点滴薬の薬品情報および投与条件（ＩＤ１２、ＩＤ１３）を携帯端末１に送信し、携帯端末１は、患者ＩＤ（ＩＤ０１）を制御装置４に送信する。
【００１５】
携帯端末１および制御装置４は、それぞれの装置１、４に記憶された情報と、受信した情報とを照合する。照合に成功した場合、制御装置４は、点滴を開始する指示を流量計１０に出力する。これにより、流量計１０は、点滴薬の投与を開始する。
【００１６】
図２は、患者が携帯する携帯端末１の概略構成図である。
【００１７】
本実施形態の携帯端末１は、コンピュータ２と、トランシーバ３とを有する。コンピュータ２は、送信部２１と、照合部２２と、記憶部２３（第１の記憶手段）と、ログ登録部２４とを有する。送信部２１は、トランシーバ３を用いて制御装置４に情報を送信する。照合部２２は、記憶部２３に記憶された情報と、制御装置４から受信した情報とを照合し、照合結果を制御装置４に送信する。記憶部２３には、当該携帯端末１を携帯する患者に関する情報が記憶される。患者に関する情報としては、例えば、図１に示すように、患者ＩＤ、投与する薬品ＩＤ、投薬条件、薬品を処方した責任者（例えば、医者ＩＤ、薬剤師ＩＤ）などが考えられる。ログ登録部２４は、点滴薬の投与の開始および終了のログ情報をログ情報記憶部（不図示）に登録する。
【００１８】
トランシーバ３は、電界信号検出技術を利用していて、送信すべき情報に基づく電界を電界伝達媒体である生体に誘起させ、この誘起した電界を用いて情報の送受信を行うものである。
【００１９】
例えば、トランシーバ３は、図２に示す構成をしており、コンピュータ２からの送信データを入出力（Ｉ／Ｏ）回路９０１を介して受け取ると、この送信データを送信部９０２を介して電極９０３に供給し、当該電極９０３および絶縁膜９０４を介して電界伝達媒体に電界を誘起させ、この電界を電界伝達媒体の他の部位に伝達させる。
【００２０】
また、トランシーバ３は、電界伝達媒体に誘起されて伝達されてくる電界を絶縁膜９０４を介して電極９０３で検出し、この電界を電界検出部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してコンピュータ２に出力するようになっている。
【００２１】
なお、携帯端末１のトランシーバは、図３に示す構成のトランシーバであってもよい。
【００２２】
図３に示すトランシーバ３Ｂは、送信すべき情報に基づく電界を電界伝達媒体である生体に誘起させ、この誘起した電界を用いて情報の送受信を行うトランシーバであって、データを送信するための送信部８０２と、データを受信するための受信部８０３と、Ｉ／Ｏ回路９０１と、電極９０３と、絶縁膜９０４と、を備える。
【００２３】
トランシーバ３Ｂは、コンピュータ２からの送信データを入出力（Ｉ／Ｏ）回路９０１を介して受け取ると、この送信データを送信部８０２を介して電極９０３に供給し、当該電極９０３および絶縁膜９０４を介して電界伝達媒体に電界を誘起させ、この電界を電界伝達媒体の他の部位に伝達させる。送信部８０２は、送信データを発振器８０５から出力される搬送波で変調するための変調回路８０４と、搬送波を出力するための発振器８０５とを備える。
【００２４】
また、トランシーバ３Ｂは、電界伝達媒体に誘起されて伝達されてくる電界を絶縁膜９０４を介して電極９０３で検出し、この電界を受信部８０３で受信データに変換して入出力回路９０１を介してコンピュータ２に出力する。受信部８０３は、復調信号のＨレベルとＬレベルの反転が起きていないかを判定して補正するための補正回路８０６と、搬送波再生回路８０８で再生された搬送波と受信した信号をもとにデータを再生する復調回路８０７と、受信した信号から搬送波を抽出する搬送波再生回路８０８と、を備える。
【００２５】
図３に示すトランシーバ３Ｂの場合、コンピュータ２は、送信データとともに送受切替信号をトランシーバ３Ｂに対して出力するものとする。送受切替信号は、トランシーバ３Ｂに対して送信と受信の動作の切替を指示するための信号である。
【００２６】
図４は、本実施形態の制御装置４の概略構成図である。
【００２７】
本実施形態の制御装置４は、コンピュータ５と、トランシーバ６とを有する。コンピュータ５は、送信部５１と、照合部５２と、制御部５３と、記憶部５４（第２の記憶手段）とを有する。送信部５１は、トランシーバ６を用いて携帯端末１に情報を送信する。照合部２２は、記憶部５４に記憶された情報と、携帯端末１から受信した情報とを照合する。制御部５３は、照合に成功した場合、点滴薬の流量計（医療機器）１０を制御する。記憶部５４には、携帯端末１を携帯する患者に関する情報、流量計１０にセットされた薬品に関する情報、薬品を処方した責任者（例えば、医者ＩＤ、薬剤師ＩＤ）などが記憶される。図１に示すように、患者に関する情報としては、例えば患者ＩＤなどが考えられ、薬品に関する情報としては、例えば薬品ＩＤ、投薬条件（流量速度）などが考えられる。
【００２８】
トランシーバ６は、図２で説明したトランシーバ３と同様であるためここでは説明を省略する。また、トランシーバ６は、図３で説明したトランシーバ３Ｂを用いることとしてもよい。
【００２９】
なお、携帯端末１のコンピュータ２および制御装置４のコンピュータ５は、少なくともＣＰＵと、メモリと、記憶装置と、通信制御装置と、これらの各装置を接続するバスと、を備えた汎用的なコンピュータシステムを用いることができる。このコンピュータシステムにおいて、ＣＰＵがメモリ上にロードされた所定のプログラムを実行することにより、各コンピュータ２、５の各機能が実現される。
【００３０】
次に、本実施形態の処理について説明する。
【００３１】
図５は、患者に点滴薬を投与する処理のシーケンス図である。事前処理としては、流量計１０に点滴薬をセットし（Ｓ１１）、制御装置４の記憶部５４に薬品に関する情報（薬品ＩＤ、投薬条件）および投与する患者ＩＤなどを登録する（Ｓ１２）。なお、患者が携帯する携帯端末１には、あらかじめ患者ＩＤ、当該患者に処方されている薬品情報、投薬条件などの患者に関する情報が登録されている（Ｓ１３）。
【００３２】
看護士は、点滴用の注射針を患者に刺すなど点滴の準備を終えると、図１に示すように携帯端末１を所持する患者と制御装置４（電極９０３）とを同時に接触する。これにより、携帯端末１のコンピュータ２と制御装置４のコンピュータ５との間で、携帯端末１のトランシーバ３、電界伝達媒体である患者の人体、看護士の人体、および制御装置４のトランシーバ６を介した通信路が確立される（Ｓ２０）。
【００３３】
そして、制御装置４の送信部５１は、前記通信路を介して、記憶部５４に記憶された薬品情報（ＩＤ１２）と投薬条件（ＩＤ１３）とを携帯端末１に送信する（Ｓ２１）。携帯端末１の照合部２２は、制御装置４から受信した情報と、記憶部２３に登録されている情報とを照合する（Ｓ２２）。具体的には、照合部２２は、受信した薬品情報（ＩＤ１２）および投薬条件（ＩＤ１３）が記憶部２３に存在する場合は照合に成功したと判別し、受信した薬品情報（ＩＤ１２）および投薬条件（ＩＤ１３）が記憶部２３に存在しない場合は照合に失敗したと判別する。
【００３４】
照合に成功した場合、送信部２１は、記憶部２３に登録された患者ＩＤ（ＩＤ０１）を前記通信路を介して制御装置４に送信する（Ｓ２３）。なお、照合に失敗した場合、送信部２１は、照合に失敗した旨を示すエラー情報を前記通信路を介して制御装置４に送信する。また、送信部２１は、記憶部２３に登録された医師ＩＤを、エラー情報とともに制御装置４に送信することとしてもよい。
【００３５】
制御装置４の照合部５２は、携帯端末１から受信した情報と、記憶部５４に登録されている情報とを照合する（Ｓ２４）。具体的には、照合部５２は、受信した患者ＩＤ（ＩＤ０１）が記憶部５４に登録された患者ＩＤと一致するか否かを判別する。患者ＩＤが一致する場合、制御部５３は、記憶部５４に登録されている投薬条件（流量測度など）を含む点滴開始指示を流量計１０に出力する（Ｓ２５）。
【００３６】
流量計１０は、点滴開始指示を受け付けると、指定された投薬条件を設定し、点滴を開始する（Ｓ２６）。なお、流量計１０は、点滴の開始時および点滴の終了時に、点滴開始メッセージおよび点滴終了メッセージを、制御装置４にそれぞれ送信するものとする（Ｓ２７、Ｓ３０）。
【００３７】
制御装置４の送信部５１は、点滴開始メッセージを受信すると、当該メッセージを前記通信路を介して携帯端末１に送信する（Ｓ２８）。携帯端末１のログ登録部２４は、ログ情報記憶部（不図示）に現在の日時などを含むログ開始情報を記憶する（Ｓ２９）。また、制御装置４の送信部５１は、点滴終了メッセージを受信すると、当該メッセージを前記通信路を介して携帯端末１に送信する（Ｓ３１）。携帯端末１のログ登録部２４は、ログ情報記憶部に現在の日時などを含むログ終了情報を記憶する（Ｓ３２）。
【００３８】
なお、Ｓ２２およびＳ２４の照合処理に失敗した場合、制御部５３は、以降の処理を中止し、エラー処理を行う。エラー処理としては、例えば、流量計１０を停止し、アラームやエラーメッセージなどを出力することが考えられる。また、エラー処理として制御部５３は、制御装置４の記憶部５４（または携帯端末１の記憶部２３）に記憶された医師に対して、問い合わせのアラートを送信することも考えられる。なお、医師に対するアラートの送信としては、医師のメールアドレスにメールを送信、電話をかけるなどが考えられる。
【００３９】
以上説明した第１の実施形態の投薬制御システムでは、患者が携帯端末１を所持し、点滴の流量計（医療機器）１０に制御装置４を取り付け、看護人が患者と制御装置４とを同時に触れることにより、患者および看護人の人体を介して携帯端末１と制御装置４との間で通信路が確立され、情報が送受信される。そして、携帯端末１および制御装置４が、受信した情報を用いて、患者および点滴薬の照合をそれぞれ行う。
【００４０】
これにより、本実施形態では、電界伝達媒体を介して情報の送受信を行う電界通信を用いて、誤認証を防止し、より容易に、またより利便性の高い照合システムを実現することができる。すなわち、本実施形態では、携帯端末１および制御装置４（第１の送受信機および第２の送受信機）が、それぞれに取り付けられたユーザおよび流量計の薬品（第１の物体および第２の物体）を照合するため、患者に間違った薬品を投与してしまう医療ミス（誤投薬）を防止することができる。
【００４１】
また、本実施形態では、看護士が患者と制御装置４とを同時に接触するだけで、携帯端末１と制御装置４との間で情報の送受信が行われるため、バーコードリーダやＲＦＩＤリータを操作する場合と比べて、照合に要する時間および操作の手間を削減し、容易に照合を行うことができる。
【００４２】
なお、本実施形態では、携帯端末１および制御装置４の両方で照合を行うこととしたが（図５：Ｓ２２およびＳ２４）、制御装置４のみが照合を行うこととしてもよい。この場合は、図５に示す、Ｓ２１およびＳ２２の処理を行わず、通信路の確立後（Ｓ２０）、携帯端末１は、記憶部２３に記憶された情報（患者ＩＤ、薬品情報、投薬条件）を、制御装置４に送信するものとする。
【００４３】
＜第２の実施形態＞
以下、本発明の第２の実施形態を図面を用いて説明する。
【００４４】
図６は、本発明の第２の実施形態である投薬照合システムを説明するために説明図である。本実施形態の投薬照合システムは、第１の実施形態と同様に患者に間違った薬を投与してしまう誤投薬を防止するためのものである。
【００４５】
本実施形態では、患者に携帯端末１を携帯させ、点滴薬の流量計などの医療機器１０に制御装置４を取り付ける。また、本実施形態では、患者と薬品とを照合する管理サーバ７をさらに備える。
【００４６】
管理サーバ７は、コンピュータ８と、図２で説明したトランシーバ３と同様のトランシーバ９とを有する。トランシーバ９の電極９０３および絶縁膜９０４（以下、「電極等９０３」）は、ケーブルなどによりトランシーバ本体と接続されて、床の所定位置に設置されるものとする。コンピュータ８は、送信部８１と、照合部８２と、データベース８３（第３の記憶手段）とを有する。送信部８１は、トランシーバ９を用いて制御装置４に照合結果を送信する。照合部８２は、データベース８３を参照して、携帯端末１および制御装置４から受信した情報を照合する。データベース８３には、携帯端末１を携帯する患者毎に、患者ＩＤ（ＩＤ０１）、当該患者に投与する薬品情報（ＩＤ１２）、および投薬条件（ＩＤ１３）、医師ＩＤ（ＩＤ０５）などが記憶されている。
【００４７】
本実施形態の携帯端末１は、第１の実施形態の携帯端末１（図２参照）と同様に、コンピュータ２とトランシーバ３とを有し、本実施形態のコンピュータが照合部２２を有さず、記憶部２３には患者ＩＤのみが記憶されている点において第１の実施形態の携帯端末１と異なる。
【００４８】
また、本実施形態の制御装置４は、第１の実施形態の制御装置４（図４参照）と同様に、コンピュータ５とトランシーバ６とを有し、本実施形態のコンピュータが照合部５２を有さず、記憶部２３には薬品に関する情報（薬品情報、投薬条件）のみが記憶されている点において第１の実施形態の制御装置４と異なる。
【００４９】
なお、本実施形態の携帯端末１、制御装置４および管理サーバ７のトランシーバ３、６、９は、図２で説明したトランシーバ３Ｂを用いることとしてもよい。
【００５０】
次に、本実施形態の処理について説明する。
【００５１】
第１の実施形態と同様の事前処理（図５：Ｓ１１〜Ｓ１３）を行う。そして、看護士は、点滴用の注射針を患者に刺すなど点滴の準備を終えると、電極等９０３の上に立った状態で、患者を介して携帯端末１に接触（すなわち、携帯端末１と管理サーバ７とを同時に接触）する。これにより、電界伝達媒体である看護士の人体を介して、携帯端末１と管理サーバ７との間の第１の通信路が確立され、携帯端末１の送信部は、この第１の通信路を介して記憶部２３に記憶された患者ＩＤ（ＩＤ０１）を管理サーバ７に送信する（Ｓ４１）。
【００５２】
また、看護士が、電極等９０３の上に立った状態で、制御装置４に接触（すなわち、制御装置４と管理サーバ７とを同時に接触）することにより、電界伝達媒体である看護士の人体を介して、制御装置４と管理サーバ７との間の第２の通信路が確立される。この第２の通信路が確立されると、制御装置４の送信部は、患者に投与する点滴薬の薬品情報および投与条件（ＩＤ１２、ＩＤ１３）を管理サーバ７に送信する（Ｓ４２）。
【００５３】
管理サーバ７の照合部８２は、データベース８３を参照して、携帯端末１および制御装置４から受信した情報を照合し、照合結果（ＯＫ／ＮＧ）を第２の通信路を介して制御装置４に送信する（Ｓ４３）。すなわち、照合部８２は、データベース８３に受信した情報の組み合わせが存在する場合は、照合に成功したとしてＯＫメッセージを制御装置４に出力し、受信した情報の組み合わせが存在しない場合は、照合に失敗したとしてＮＧメッセージを制御装置４に出力する。なお、照合に失敗した場合、照合部８２は、データベース８３に記憶された医師に対して、問い合わせのアラートを送信することとしてもよい。
【００５４】
ＯＫメッセージを受信した場合、制御装置４の制御部５３は、記憶部５４に登録されている投薬条件（流量測度など）を含む点滴開始指示を流量計１０に出力する。流量計１０は、点滴開始指示を受け付けると、指定された投薬条件を設定し、点滴を開始する。一方、ＮＧメッセージを受信した場合、制御部５３は、以降の処理を中止し、エラー処理（アラームやエラーメッセージなどの出力）を行う。
【００５５】
以上説明した第２の実施形態の投薬制御システムでは、第１の実施形態と同様に、電界伝達媒体を介して情報の送受信を行う電界通信を用いて、誤認証を防止し、より容易に、またより利便性の高い照合システムを実現することができる。すなわち、本実施形態では、携帯端末１および制御装置４がそれぞれに取り付けられた患者に関する情報および流量計の薬品に関する情報を管理サーバ７に送信し、管理サーバ７がデータベースを参照して、受信した情報の照合を行うため、患者に間違った薬品を投与してしまう医療ミス（誤投薬）を防止することができる。
【００５６】
また、本実施形態では、看護士が患者と管理サーバ７の電極等９０３とを同時に接触するだけで携帯端末１と管理サーバ７との間で情報の送受信が行われ、また、看護士が制御装置４と管理サーバ７の電極等９０３とを同時に接触するだけで制御装置４と管理サーバ７との間で情報の送受信が行われる。したがって、本実施形態では、バーコードリーダやＲＦＩＤリータを操作する場合と比べて、照合に要する時間および操作の手間を削減し、容易に照合を行うことができる。
【００５７】
＜第３の実施形態＞
以下、本発明の第３の実施形態を図面を用いて説明する。
【００５８】
図７は、本発明の第３の実施形態である患者確認システムを説明するために説明図である。本実施形態の患者確認システムは、医師（医療従事者）が患者を診察する際に、カルテと患者を照合し、間違ったカルテを参照して患者を診察することを防止するためのものである。
【００５９】
本実施形態では、患者に携帯端末１を携帯させ、電子カルテ端末（医療機器）に制御装置４を取り付ける。電子カルテ端末は、電子カルテのデータベース（不図示）に記憶された電子カルテをディスプレイに表示するとともに、現在表示している電子カルテの識別情報（カルテ番号、投薬情報、患者ＩＤ）を、制御装置４に通知する。
【００６０】
本実施形態の携帯端末１は、第１の実施形態の携帯端末１（図２参照）と同様であって、本実施形態の制御装置４も第１の実施形態の制御装置４（図４参照）と同様である。なお、本実施形態の携帯端末１の記憶部２３には、図８に示すように患者ＩＤと、カルテ番号と、投薬情報とが記憶されているものとする。また、本実施形態の制御装置４の記憶部５４には、電子カルテ端末から通知された電子カルテの識別情報（カルテ番号、投薬情報、患者ＩＤ）が記憶されているものとする。
【００６１】
なお、本実施形態の携帯端末１および制御装置４のトランシーバ３、６は、図２で説明したトランシーバ３Ｂを用いることとしてもよい。
【００６２】
本実施形態における医師が患者を診察する処理は、第１の実施形態で説明した図５のＳ２０からＳ２４の処理と同様である。すなわち、診察の際に医師は、患者の手を握るなどして携帯端末１に接触するとともに、制御装置４にも同時に接触する。これにより、電界伝達媒体である医師の人体を介して、携帯端末１と制御装置４との間の通信路が確立される（Ｓ２０）。この通信路が確立されると、制御装置４の送信部５１は、記憶部５４に記憶された電子カルテ番号および投薬情報（ＩＤ１２、ＩＤ１３）を携帯端末１に送信する（Ｓ２１）。なお、記憶部５４に記憶された電子カルテ番号等は、現在電子カルテ端末に表示されている電子カルテの識別情報である。
【００６３】
携帯端末１の照合部２２は、制御装置４から受信した情報と、記憶部２３に登録されている電子カルテ番号および投薬情報とを照合する（Ｓ２２）。両者が一致する場合、送信部２１は、記憶部２３に登録された患者ＩＤ（ＩＤ０１）を制御装置４に送信する（Ｓ２３）。照合に失敗した場合、送信部２１は、照合に失敗した旨を示すエラー情報を制御装置４に送信する。
【００６４】
制御装置４の照合部５２は、患者ＩＤを受信した場合、当該患者ＩＤと記憶部５４に記憶された患者ＩＤとを照合する（Ｓ２４）。そして、制御部５３は、照合結果（ＯＫまたはＮＧ）を電子カルテ端末に出力する。また、携帯端末１からエラーメッセージを受信した場合、制御部５３は、ＮＧの照合結果を電子カルテ端末に出力する。
【００６５】
電子カルテ端末は、ＮＧの照合結果の場合はエラー処理（アラームやエラーメッセージなどの出力）を行い、ＯＫの照合結果の場合は現在表示している電子カルテをそのまま表示する。
【００６６】
なお、本実施形態では、携帯端末１および制御装置４の両方で照合を行うこととしたが（Ｓ２２およびＳ２４）、制御装置４のみが照合を行うこととしてもよい。この場合は、Ｓ２１およびＳ２２の処理を行わず、通信路の確立後（Ｓ２０）、携帯端末１は、記憶部２３に記憶された情報（患者ＩＤ、カルテ番号、投薬情報）を、制御装置４に送信するものとする。
【００６７】
以上説明した第３の実施形態の投薬制御システムでは、第１の実施形態と同様に、電界伝達媒体を介して情報の送受信を行う電界通信を用いて、誤認証を防止し、より容易に、またより利便性の高い患者確認システムを実現することができる。すなわち、本実施形態では、携帯端末１および制御装置４が、患者ＩＤおよびカルテ番号など送受信し、照合することにより、医師が間違ったカルテに基づいて患者を診療してしまう医療ミスを防止することができる。
【００６８】
また、本実施形態では、医師が患者と制御装置４とを同時に接触するだけで、携帯端末１と制御装置４との間で情報の送受信が行われるため、バーコードリーダやＲＦＩＤリータを操作する場合と比べて、照合に要する時間および操作の手間を削減し、容易に照合を行うことができる。
【００６９】
＜第４の実施形態＞
以下、本発明の第４の実施形態を図面を用いて説明する。
【００７０】
図８は、本発明の第４の実施形態である運転姿勢検知システムを説明するための説明図である。本実施形態の運転姿勢検知システムは、ユーザが自動二輪車や自転車などを運転する際の運転姿勢を検知し、危険な運転姿勢の場合は警告を出力するものである。
【００７１】
本実施形態では、ハンドル部分に送信機６１を取り付け、サドル部分に受信機６３を取り付ける。送信機６１は、図２または図３のトランシーバ３、３Ｂの電界信号検出技術（送信部分）を利用していて、送信すべき情報に基づく電界を電界伝達媒体である生体に誘起させ、この誘起した電界を用いて情報の送信を行うものである。また、本実施形態の送信機６１は、所定の信号を、所定のタイミングで常時発信する発信器を有するものとする。
【００７２】
受信機６３は、図２または図３のトランシーバ３、３Ｂの電界信号検出技術（受信部分）を利用していて、電界伝達媒体である生体に誘起した電界を用いて情報の受信を行うものである。また、本実施形態の受信機６３は、送信機６１からの信号を監視し、信号が途絶えたこと検知して警告（アラーム）を出力する検知部とを有する。なお、受信機６３の電極（絶縁膜を含む）６２は、サドル（座席）に埋め込まれているものとする。
【００７３】
このような運転姿勢検知システムでは、ユーザがハンドルを握り、かつ、サドルに座っている安全な運転姿勢の状態では、送信機６１と受信機６３の間で電界伝達媒体であるユーザの人体を介した通信路が確立され、受信機６３は、送信機６１が発信する信号を受信することができる。一方、ユーザが運転中にハンドルから手を離す、あるいは、サドルから立ち上がるなど危険な姿勢をとった場合は、前記通信路は切断され、受信機６３は送信機が発信する信号を受信できなくなる。受信機６３の検知部は、送信機６１からの信号を監視し、信号が途絶えたこと検知して警告（アラーム）を出力する。
【００７４】
本実施形態の運転姿勢検知システムでは、運転中にハンドルから手を離す、あるいは、サドルから立ち上がるなど危険な姿勢で運転すると警告が発せられるため、正しい着座姿勢でハンドルを握るよう安全な運転姿勢をユーザに促すことができる。
【００７５】
＜第５の実施形態＞
以下、本発明の第５の実施形態を図面を用いて説明する。
【００７６】
図９は、本発明の第５の実施形態であるイモビライザーシステムを説明するための説明図である。イモビライザーは、電子的なキーの照合により車両の盗難を防止する。本実施形態のイモビライザーシステムは、携帯送信機６４を所持する正当なユーザ（運転許可者）が運転席に着座すると車両の起動が可能となり、携帯送信機６４を所持しないユーザ（運転非許可者）が運転席に着座すると車両の起動停止および警告出力を行うものである。
【００７７】
図９は、イモビライザーシステムを自動２輪車に適用した場合の一例である。図９（ａ）は携帯送信機６４を所持する運転許可者の場合を示し、図９（ｂ）は携帯送信機６４を所持しない運転非許可者の場合を示す。
【００７８】
図示するように、ハンドル部分に送信機６１を取り付け、サドル部分に受信機６３を取り付けるる。そして、運転許可者は、携帯送信機６４を所持している。送信機６１および携帯送信機６４は、図２または図３のトランシーバ３、３Ｂの電界信号検出技術（送信部分）を利用していて、送信すべき情報に基づく電界を電界伝達媒体である生体に誘起させ、この誘起した電界を用いて情報の送信を行うものである。また、送信機６１は、第１のキー情報（ＩＤ１）を所定のタイミングで常時発信する発信器を有する。携帯送信機６４は、第２のキー情報（ＩＤ２）を、所定のタイミングで常時発信する発信器を有する。
【００７９】
受信機６３は、図２または図３のトランシーバ３、３Ｂの電界信号検出技術（受信部分）を利用していて、電界伝達媒体である生体に誘起した電界を用いて情報の受信を行うものである。受信機６３の電極（絶縁膜を含む）６２は、サドル（座席）に埋め込まれているものとする。また、本実施形態の受信機６３は、送信機６１および携帯送信機６４から受信したキー情報と、受信機６３の記憶部に記憶されたキー情報（ＩＤ１、ＩＤ２）とを照合する。そして、これらが一致した場合にのみ自動２輪車の起動を可能とし、一致しない場合は起動停止および警告出力を行う。
【００８０】
図９（ａ）では、携帯送信機６４を所持する運転許可者が、サドルに座ることにより運転者の人体を介して第２のキー情報（ＩＤ２）が受信機６３に送信される。また、運転者許可者がサドルに座り、さらにハンドルを握ると第１のキー情報（ＩＤ１）が受信機６３に送信される。受信機６３は、受信した第１および第２のキー情報と、当該受信機６３に記憶されたキー情報とを照合し、一致するため当該自動二輪車の起動を可能な状態にする。
【００８１】
図９（ｂ）では、携帯送信機６４を所持しない運転非許可者が、サドルに座り、さらにハンドルを握ると第１のキー情報（ＩＤ１）が受信機６３に送信される。しなしながら、運転非許可者は携帯送信機６４を所持していないため、第２のキー情報（ＩＤ２）は受信機６３に送信されない。受信機６３は、受信した第１のキー情報と当該受信機６３に記憶されたキー情報とを照合するが、第２のキー情報がないため、当該自動２輪車の起動停止および警告出力を行う。
【００８２】
本実施形態では、携帯送信機６４を所持する運転許可者がサドルに座り、ハンドルを握るだけで電子キーの照合が行われるため、運転者の操作の手間や時間を解消し、利便性を向上することができる。
【００８３】
なお、本実施形態のイモビライザーシステムは、４輪自動車にも適用することができる。また、本実施形態のイモビライザーシステムと、第３の実施形態の運転姿勢検知システムを組み合わせることとしてもよい。
【００８４】
以上、本発明の各実施の形態について説明してきたが、本発明の要旨を逸脱しない範囲において、本発明の実施の形態に対して種々の変形や変更を施すことができる。
【図面の簡単な説明】
【００８５】
【図１】第１の実施形態の投薬照合システムを説明するための説明図である。
【図２】第１の実施形態の携帯端末の概略構成図である。
【図３】第１の実施形態のその他の携帯端末の概略構成図である。
【図４】第１の実施形態の制御装置の概略構成図である。
【図５】第１の実施形態の処理のシーケンス図である。
【図６】第２の実施形態の投薬照合システムを説明するための説明図である。
【図７】第３の実施形態の患者確認システムを説明するための説明図である。
【図８】第４の実施形態の運転姿勢検知システムを説明するための説明図である。
【図９】第５の実施形態のイモビライザーシステムを説明するための説明図である。
【図１０】トランシーバを介してウェアラブルコンピュータを人間に装着して使用する場合の例を示す説明図である。
【符号の説明】
【００８６】
１      携帯端末
２、５、８  コンピュータ
３、３Ｂ、６、９  トランシーバ
７      管理サーバ
２１    送信部
２２    照合部
２３    記憶部
２４    ログ登録部
５１    送信部
５２    照合部
５３    制御部
５４    記憶部
８１    送信部
８２    照合部
８３    データベース
【図１】
2009224891.tif 000003
【図２】
2009224891.tif 000004
【図３】
2009224891.tif 000005
【図４】
2009224891.tif 000006
【図５】
2009224891.tif 000007
【図６】
2009224891.tif 000008
【図７】
2009224891.tif 000009
【図８】
2009224891.tif 000010
【図９】
2009224891.tif 000011
【図１０】
2009224891.tif 000012